(57)【要約】【課題】  主配線盤（ＭＤＦ）から分岐する配線を中継する配線箱に関し、配線箱の管理を電子化し、作業対象の配線箱及び配線箱内部の配線の誤認を防止する。【解決手段】  配線箱を開錠すると、当該配線箱に係る配線表を携帯端末機に表示し、作業前の配線状況の確認を行え、作業終了時には前記配線表を更新し、配線箱を施錠する際に前記配線表を更新保存することで、常に最新版の配線表を提供することができ、識別子による電子錠の開閉を行うことで、鍵の管理が容易になる配線管理システム。【選択図】図１
2014131377.tif 000002
【特許請求の範囲】
【請求項１】
識別子を貼り付けた配線箱と、
通信ネットワークに接続されたデータベースを有する管理サーバと、
前記通信ネットワークに接続可能であり、識別子リーダを接続した携帯端末機と、
前記データベースに格納された前記配線箱の配線表と、からなる配線管理システムであって、
前記識別子を前記識別子リーダで読み取ることによって、前記携帯端末機は前記配線箱を特定し、前記データベースに格納された前記配線箱に対応する前記配線表を前記通信ネットワークを介して前記携帯端末機に表示し、
前記携帯端末機に表示された前記配線箱の前記配線表は、前記携帯端末機で前記配線表の変更箇所の保存処理を行うと、前記データベースに格納された前記配線表及び、前記データベースに格納された前記配線箱と結線されている一以上の他の配線箱の配線表の前記変更箇所に対応した変更箇所をも、前記通信ネットワークを介して保存処理をすること
を特徴とする配線管理システム。
【請求項２】
識別子を貼り付けられた配線箱と、
識別子リーダを接続した携帯端末機と、
前記携帯端末機に格納された前記配線箱の配線表と、からなる配線管理システムであって、
前記識別子を前記識別子リーダで読み取ることによって、前記携帯端末機は前記配線箱を特定し、前記携帯端末機に格納された前記配線箱に対応する前記配線表を前記携帯端末機に表示し、
前記携帯端末機に表示された前記配線箱の前記配線表は、前記携帯端末機で前記配線表の変更箇所の保存処理を行うと、前記携帯端末機に保存された当該配線表及び、前記携帯端末機に格納された前記配線箱と結線されている一以上の他の配線箱の配線表の前記変更箇所に対応した変更箇所をも、保存処理をすること
を特徴とする配線管理システム。
【請求項３】
前記携帯端末機は、前記配線表の保存処理が行われたことを、
電子錠に施錠の信号を送信する条件とすること
を特徴とする請求項１又は請求項２に記載の配線管理システム。
【請求項４】
前記配線箱の前記配線表は、前記携帯端末機に表示された状態で、前記配線表の内容の追加、削除の更新及び保存が可能なこと
を特徴とする請求項１又は請求項２に記載の配線管理システム。
【請求項５】
前記配線箱は電子錠を備え、
前記携帯端末機は、前記識別子を前記識別子リーダで読み取り、前記識別子の前記読み取り結果から、前記管理サーバが前記通信ネットワークを介して前記携帯端末機に開錠許可命令を与えた配線箱に該当すると判定した場合、前記携帯端末機は、前記電子錠に開錠の信号を送信して前記電子錠を開錠すること
を特徴とする請求項１に記載の配線管理システム。
【請求項６】
前記配線箱は電子錠を備え、
前記携帯端末機は、前記識別子を前記識別子リーダで読み取り、前記識別子の前記読み取り結果から、前記携帯端末機が開錠許可命令を有する配線箱に該当すると判定した場合、前記携帯端末機は、前記電子錠に開錠の信号を送信して前記電子錠を開錠すること
を特徴とする請求項２に記載の配線管理システム。
【請求項７】
前記携帯端末機に表示された前記配線箱の前記配線表は、
前記配線箱と結線されている前記一以上の他の配線箱の配線表が更新された場合、前記他の配線箱の配線表で更新された内容を、強調表示して示すこと
を特徴とする請求項１乃至請求項６の何れか１に記載の配線管理システム。
【請求項８】
前記携帯端末機は前記配線表を表示中の前記配線箱と、前記配線箱と結線されている一以上の他の配線箱の構成図を表示すること
を特徴とする請求項１乃至請求項７の何れか１に記載の配線管理システム。
【請求項９】
前記携帯端末機は、前記識別子リーダが受信可能な範囲内に存在する、前記識別子を貼り付けた前記配線箱の名称を画面に表示すること
を特徴とする請求項１乃至請求項８に記載の配線管理システム。
【発明の詳細な説明】
【技術分野】
【０００１】
本発明は、主配線盤（ＭＤＦ）から分岐する配線を中継する配線箱に関し、配線箱の管理を電子化し、作業対象の配線箱及び配線箱内部の配線の誤認を防止することが可能な配線管理システムに関する。
【背景技術】
【０００２】
電話線等の通信回線をビル、マンション内に引くにあたって、交換機（ＰＢＸ）に接続された大量の通信回線の束や、電話局側から引いてきた大量の通信回線の束の整理を行うべく、電話線の集線分配装置として主配線盤（ＭＤＦ）が用いられており、各階やブロックには主配線盤（ＭＤＦ）から分配された配線を接続する配線箱が配置されている。また、配線箱から他の配線箱への配線を接続する構成もなされている。
【０００３】
従来の配線箱の内部には、当該配線箱内の配線状態を記載した、配線表が保管されている。図９（Ａ）及び（Ｂ）は、従来の配線表の実施例の一つである。図９（Ａ）は、配線箱の端子の接続を表した図、図９（Ｂ）はＭＤＦの配置を示した図である。従来の配線表は紙に記載されたものであり、本例では、２枚の配線表を組み合わせて、配線の管理を行っている。図９（Ａ）の表の端子２Ｔ−２は、図９（Ｂ）のＩの範囲に該当し、図９（Ａ）のＮｏ欄の番号１乃至１００は、図９（Ｂ）のＩの範囲の２Ｔ−２が「１００対」あることに対応している。また、各端子に接続されている内線番号、接続機器、ＭＤＦ側の接続位置等が記載されている。図９（Ｂ）は、ＭＤＦでビル幹線ケーブルがどのように割り当てられているか（Ｂ１Ｔ−１乃至３Ｔ−３）を示している。
【先行技術文献】
【特許文献】
【０００４】
【特許文献１】特開２００７−２２１３１６号公報
【発明の概要】
【発明が解決しようとする課題】
【０００５】
特許文献１には、通信局舎内や通信局舎間等において、通信装置相互間、通信装置と主配線盤（ＭＤＦ）端子間、ＭＤＦ相互間、ＭＤＦと中間配線盤（ＩＤＦ）端子間、またはＩＤＦ相互間などを信号伝送線で接続する際に使用されるジャンパ光コード７の両端の光コネクタプラグ６ａ，６ｂ付近に、一対のＲＦＩＤタグ８ａ，８ｂを取り付け、ＲＦＩＤタグ８ａ，８ｂへは配線管理端末２１で配線情報を書き込むことで、１本の信号伝送線の両端に設けられた各コネクタの対応関係を人手によって把握する必要がなくなるため、信号伝送線の本数が多い場合であっても、手間がかかることなく配線情報の書込作業を行うことができるようになり、また、人為的なミスにより、１本の信号伝送線の両端に設けられた各コネクタの対応関係の把握を誤らなくなるため、配線情報を書き込む際の人為的なミスを防止することができるようになる、配線情報の管理システムが開示されている。
【０００６】
しかしながら、特許文献１は、信号伝送線毎の管理に関する発明が開示されているものの、図９（Ａ）及び図９（Ｂ）に示す配線表の様な全体を把握する管理方法は開示されていない。
【０００７】
従来の配線表の場合、図９（Ａ）又は図９（Ｂ）の何れかを修正した場合は、図９（Ａ）及び図９（Ｂ）の２枚とも修正する必要がある。この時、作業によって配線の変更、追加、削除等が行われた場合は、作業員は作業後の状態をメモ書きして作業本部に持ち帰り、ＰＣ等を用いてデータベースを更新し、印刷した後、再度配線箱を開錠して、新しい紙の配線表を配線箱に格納する必要があった。また、修正をするにあたって、メモ書きの間違いや、新しい配線表を配線箱に格納していなかった場合は、実際の配線と、配線表の内容が異なってしまう場合があり、作業時に再度現状の配線状況を調べる作業が発生する場合がある。
【０００８】
また、配線表は、保守現場ごとに様式が異なることが多く、１枚の配線表や、複数毎の配線表で、配線を管理している保守現場もある。このような場合、配線表の内容を確認することに時間を要する事態が生じることがあり、作業効率の低下を招いてしまう。
【０００９】
そこで、本発明は、配線箱を開錠すると、当該配線箱に係る配線表を携帯端末機に表示し、作業前の配線状況の確認を行え、作業終了時には前記配線表を更新し、配線箱を施錠することで、常に最新版の配線表を提供することができること、また、識別子による電子錠の開閉を行うことで、鍵の管理が容易になる、配線管理システムを提供する。
【課題を解決するための手段】
【００１０】
上記目標達成のため、本発明に係る配線管理システムは、識別子を貼り付けた配線箱と、通信ネットワークに接続されたデータベースを有する管理サーバと、前記通信ネットワークに接続可能であり、識別子リーダを接続した携帯端末機と、前記データベースに格納された前記配線箱の配線表と、からなる配線管理システムであって、前記識別子を前記識別子リーダで読み取ることによって、前記携帯端末機は前記配線箱を特定し、前記データベースに格納された前記配線箱に対応する前記配線表を前記通信ネットワークを介して前記携帯端末機に表示し、前記携帯端末機に表示された前記配線箱の前記配線表は、前記携帯端末機で前記配線表の変更箇所の保存処理を行うと、前記データベースに格納された前記配線表及び、前記データベースに格納された前記配線箱と結線されている一以上の他の配線箱の配線表の前記変更箇所に対応した変更箇所をも、前記通信ネットワークを介して保存処理をすることを特徴とする。
【００１１】
本発明に係る配線管理システムは、識別子を貼り付けられた配線箱と、識別子リーダを接続した携帯端末機と、前記携帯端末機に格納された前記配線箱の配線表と、からなる配線管理システムであって、前記識別子を前記識別子リーダで読み取ることによって、前記携帯端末機は前記配線箱を特定し、前記携帯端末機に格納された前記配線箱に対応する前記配線表を前記携帯端末機に表示し、前記携帯端末機に表示された前記配線箱の前記配線表は、前記携帯端末機で前記配線表の変更箇所の保存処理を行うと、前記携帯端末機に保存された当該配線表及び、前記携帯端末機に格納された前記配線箱と結線されている一以上の他の配線箱の配線表の前記変更箇所に対応した変更箇所をも、保存処理をすることを特徴とする。
【００１２】
本発明に係る配線管理システムにおける、前記携帯端末機は、前記配線表の保存処理が行われたことを、電子錠に施錠の信号を送信する条件とすることを特徴とする。
【００１３】
本発明に係る配線管理システムにおける、前記配線箱の前記配線表は、前記携帯端末機に表示された状態で、前記配線表の内容の追加、削除の更新及び保存が可能なことを特徴とする。
【００１４】
本発明に係る配線管理システムは、前記配線箱は電子錠を備え、前記携帯端末機は、前記識別子を前記識別子リーダで読み取り、前記識別子の前記読み取り結果から、前記管理サーバが前記通信ネットワークを介して前記携帯端末機に開錠許可命令を与えた配線箱に該当すると判定した場合、前記携帯端末機は、前記電子錠に開錠の信号を送信して前記電子錠を開錠することを特徴とする。
【００１５】
本発明に係る配線管理システム前記配線箱は電子錠を備え、前記携帯端末機は、前記識別子を前記識別子リーダで読み取り、前記識別子の前記読み取り結果から、前記携帯端末機が開錠許可命令を有する配線箱に該当すると判定した場合、前記携帯端末機は、前記電子錠に開錠の信号を送信して前記電子錠を開錠することを特徴とする。
【００１６】
本発明に係る配線管理システムにおける、前記携帯端末機に表示された前記配線箱の前記配線表は、前記配線箱と結線されている前記一以上の他の配線箱の配線表が更新された場合、前記他の配線箱の配線表で更新された内容を、強調表示して示すことを特徴とする。
【００１７】
本発明に係る配線管理システムにおける、前記携帯端末機は前記配線表を表示中の前記配線箱と、前記配線箱と結線されている一以上の他の配線箱の構成図を表示することを特徴とする。
【００１８】
本発明に係る配線管理システムにおける、前記携帯端末機は、前記識別子リーダが受信可能な範囲内に存在する、前記識別子を貼り付けた前記配線箱の名称を画面に表示することを特徴とする。
【発明の効果】
【００１９】
本発明によれば、配線箱に設置された識別子を、携帯端末機に接続したリーダで読むことで、当該配線箱に関する電子配線表について、管理サーバからダウンロード、又は予め携帯端末機に記憶していた電子配線表を、携帯端末機の画面に表示することができ、保守作業者は最新の電子配線表を保守現場で確認することができる。
【００２０】
また、保守作業者は、保守作業によって生じる配線箱に係る電子配線表の更新を、保守作業中のその場で行うことができるので、電子配線表の更新に係る作業時間及び作業効率を大幅に改善することができる。
【００２１】
また、更新した電子配線表は、管理サーバ又は携帯端末機に保存されているので、常に最新版の電子配線表を、他の作業者がすぐに利用することができる。
【００２２】
配線箱の鍵は電子錠を使用することで、一般的な鍵の管理、貸与／返却等の工程をなくし、鍵の運用に要する作業時間、等を大幅に改善することができる。
【００２３】
配線箱に設置された識別子の内容を携帯端末機に接続したリーダで読みこみ、認証を受けた配線箱と判定された場合しか、電子錠の開錠をすることができないので、保守対象の配線箱の取り違いを防止し、また、セキュリティの向上に繋がる。
【００２４】
また、配線箱の保守作業終了時に施錠をする際に、電子配線表が未更新の場合は、警告が発せられ、施錠を行うことができないので、保守作業者に確実に電子配線表の更新を実施させることができ、常に最新版の電子配線表をデータベースに保存することで、実際の配線と電子配線表の相違が生じることを防ぐことができる。
【図面の簡単な説明】
【００２５】
【図１】本発明に係る配線管理システムのシステム構成を示す図である。
【図２】図２（Ａ）は、本発明に係る配線箱の外観正面図、図２（Ｂ）は、本発明に係る配線箱の扉を開いた状態の、内部構造を示す外観正面図である。
【図３】本発明に係る配線表の一例を示す図である。
【図４】本発明の携帯端末機に係る画面表示を示す図であり、図４（Ａ）は、開錠時の配線箱選択図、図４（Ｂ）は、電子配線表を取得中の待機状態を示す図、図４（Ｃ）は、電子配線表を表示した状態の図、図４（Ｄ）は、配線箱の結線状態を示す、システム図である。
【図５】本発明に係る配線管理システムの、作業開始時の処理フロー図である。
【図６】図６（Ａ）乃至（Ｄ）は、本発明に係る電子配線表の追加手順を示す図である。
【図７】図７（Ａ）乃至（Ｄ）は、本発明に係る電子配線表の削除手順を示す図である。
【図８】本発明に係る配線管理システムの、作業終了時の処理フロー図である。
【図９】従来使用されている、配線表の一例である。
【発明を実施するための形態】
【００２６】
［第１の実施形態］
［本発明の配線管理システムの構成］
以下、本発明の係る配線管理システムについて図１及び図２を参照しながら詳細に説明する。図１は、本発明に係る配線管理システムのシステム構成を示す図、図２（Ａ）は、本発明に係る配線箱の外観正面図、図２（Ｂ）は、本発明に係る配線箱の扉を開いた状態の、内部構造を示す外観正面図である。
【００２７】
［本発明の配線管理システムの構成］
図１を使用して本発明の配線管理システムの構成を説明する。図１に示すように、配線管理システム１は、通信ネットワーク２に接続された、データベース４を有する管理サーバ３と、通信ネットワーク２にアクセス可能な、携帯端末機１０を有するシステム部と、主配線盤２１と、主配線盤２１から分配した回線に接続された、複数の配線箱２２を有する保守対象機器と、から成る。
【００２８】
［システム部の構成］
通信ネットワーク２はＬＡＮ（Ｌｏｃａｌ  Ａｒｅａ  Ｎｅｔｗｏｒｋ）、イントラネット、インターネット等のコンピュータネットワークである。通信ネットワーク２は、有線又は無線環境の何れか１、又は、両者が混在する環境でもよい。
【００２９】
管理サーバ３は、配線管理システム１の動作の制御、携帯端末機１０へ電子配線表３０（図３に示す）の送信／受信等の通信、管理、更新、履歴等を管理し、これらの各種情報を保存する為のデータベース４を有している。
【００３０】
携帯端末機１０は、保守作業者５が持参し、保守現場２０で使用する端末機である。携帯端末機１０は、保守作業者５が持参可能であれば、ノートパソコン、タブレット型端末機、ＰＤＡ（Ｐｅｒｓｏｎａｌ  Ｄｉｇｉｔａｌ  Ａｓｓｉｓｔａｎｔ）等の機器を問わない。ＯＳ（Ｏｐｅｒａｔｉｏｎ  ｓｙｓｔｅｍ）についても、ＭＳ−Ｗｉｎｄｏｗｓ（登録商標）、Ｍａｃ  ＯＳ（登録商標）等のパソコン用や、携帯端末機用のｉＯＳ（登録商標）、Ａｎｄｒｏｉｄ（登録商標）、等のＯＳでもよい。また、入力装置もマウス、タッチパネル等の使用者が操作し端末機に入力できるもので有ればよい。本実施例では、小型で可搬型のタッチパネル入力形式を有する、タブレット型端末機を例として説明する。
【００３１】
携帯端末機１０は、表示画面１１に電子配線表３０を表示する機能、及び、識別子リーダ１５に近接した、識別子２３を読み取り、記載内容を精査する機能を有する。
【００３２】
識別子リーダ１５は、識別子２３を読み取る機能を有する。識別子リーダ１５と携帯端末機１０との接続は、赤外線通信（ＩＲＤＡ：Ｉｎｆｒａｒｅｄ  Ｄａｔａ  Ａｓｓｏｃｉａｔｉｏｎ）、Ｂｌｕｅｔｏｏｔｈ（登録商標）、Ｗｉ−Ｆｉ（ｗｉｒｅｌｅｓｓ  ｆｉｄｅｌｉｔｙ：登録商標）等の無線式や、有線式の何れでもよい。また、書き込み機能を有する無線タグリーダ／ライタでもよい。無線タグリーダ１５は、無線タグ２３を近接させることで、無線タグ２３に記録された情報を読み取り、読み取った情報を携帯端末機１０に送信する。
【００３３】
［保守対象機器の構成］
主配線盤（ＭＤＦ）２１は、電話線等の通信回線をビル・マンション内に引くにあたって、交換機（ＰＢＸ）に接続された大量の通信回線の束や、電話局側から引いてきた大量の通信回線の束の整理を行う機器である。本発明では、一般的に使用されている主配線盤（ＭＤＦ）でよい。
【００３４】
配線箱２２は、識別子２３、扉２４、及び電子錠２５を有し、主配線盤（ＭＤＦ）２１から分配された電話線等の通信回線の束の整理を行う機器である。設置は、建築物の各階や、一定の範囲毎に、壁や柱等に固定されて設置される。扉２４を開いた内部には、中間配線盤２６を格納している。また、配線箱は電話線等の通信回線に限らず、電力線等に使用するものでもよい。
【００３５】
識別子２３は、配線箱２２の管理番号、名称等の情報を記録している。識別子２３は、これらの内容を記録できるものであれば、バーコード等の一次元コード、ＱＲ（Ｑｕｉｃｋ  Ｒｅｓｐｏｎｓｅ）コード（登録商標）等の二次元コード、又は、識別子２３の内容を電気的に読込／書換を希望する場合は、無線タグ等を使用することができる。
保守作業者５は、識別子２３の内容を、識別子リーダ１５を介して携帯端末機１０で取得する。識別子２３の貼付位置は、識別子２３の内容を識別子リーダ１５で読める位置であれば、配線箱２２の何れの位置、又は配線箱２２の近接する位置でもよい。
【００３６】
一般的に無線タグは形式によって、アクティブタグとパッシブタグに大きく分類される。アクティブタグは、自己の筐体内に電源を有し、自ら電波を発信するタグである。自ら電波を発信するため、リーダ／ライタとが比較的離間し距離が数十〜百数十ｍでもアンテナに送信することが可能である。
【００３７】
パッシブタグは、アンテナが発する電波を受信すると、パッシブタグに内蔵されたアンテナの静電誘導によって、電波を発生させ、アンテナに情報を返信することが可能なタグである。パッシブタグは構造が簡単であり、安価に大量生産することができる。
【００３８】
本発明では、識別子２３に無線タグを使用する実施例を説明するが、識別子にどの種類のものを用いるかの選択については、状況に応じて適切な方式を選択することが望ましい。
【００３９】
扉２４は、一般的な扉であり、鍵（電子錠）２５を備えている。電子錠２５は、識別子２３の情報を読み込んだ携帯端末機１０が、その情報より保守作業を行う対象の配線箱２２と判定した場合、携帯端末機１０は、電子錠２５に開錠の信号を送信し、信号を受信した電子錠２５が開錠される構造になっている。信号は、赤外線、Ｂｌｕｅｔｏｏｔｈ（登録商標）、Ｗｉ−ｆｉ等、特に限定するものではない。
【００４０】
中間配線盤２６は、マウント２８及びコネクタ２９から成り、主配線盤２１から分配された電話線等の通信回線を、電話機、ＦＡＸ等の機器に接続、又は、他の中間配線盤２６に中継する機能を有する。
【００４１】
マウント２８は、複数のコネクタ２９を配線箱２２に固定するための器具である。コネクタ２９は複数の接続端子（２９ａ１、２９ｂ１）を有し、主配線盤２１からの通信回線をコネクタ２９ａの接続端子２９ａ１のそれぞれに接続し、コネクタ２９ｂの接続端子２９ｂ１のそれぞれには、電話機、ＦＡＸ等の機器に接続、又は、他の中間配線盤２６に繋がる通信回線が接続されている。そして、接続端子２９ａ１と接続端子２９ｂ１を結線することで、コネクタ２９ｂの接続端子２９ｂ１に繋がれた、電話機、ＦＡＸ等の端末機器、又は、他の中間配線盤２６が主配線盤２１を経由して、外部と通信可能になる。
【００４２】
図３は、本発明に係る電子配線表３０の実施例を示す図である。電子配線表３０は、通常は、データベース４に格納されており、保守作業者が識別子を読み取り、配線箱２２を開錠すると、携帯端末機１０が通信ネットワークを介してデータベース４にアクセスし、ダウンロード又は読み取りを行い、図４（Ｃ）に示すように、携帯端末機１０の表示画面１１に表示される。電子配線表３０の表示形式は、保守作業者５が保守現場２０で追加、削除が可能である形式であれば、ｈｔｍｌ形式、マイクロソフトエクセル（登録商標）、ＰＤＦ形式等の何れでもよい。
【００４３】
配線箱名３１は、配線箱の名称を表示する欄である。幹線側端子情報３２は、主配線盤側に接続されるコネクタ２９ａの各接続端子２９ａ１の回線名を表示する。端子番号は、接続端子２９ａ１のそれぞれに割り当てられる。ローカル側端子情報３３は、端末機器、又は他の配線箱２２に接続されるコネクタ２９ｂの各接続端子２９ｂ１の回線名を表示する。端子番号は、対応する接続端子２９ｂ１のそれぞれが割り当てられる。
【００４４】
ここで、幹線側（主配線盤側）とは、配線箱２２からみて、上位に主配線盤２１が接続されている方向をいう。例えば、図４（Ｄ）に示す配線箱名「ＴＡ１−１」の配線箱２２では、幹線側に主配線盤２１が接続され、ローカル側に配線箱名「ＴＡ１−２」の配線箱２２又は端末機器が接続される。また、ＴＡ１−２では、幹線側にＴＡ１−１が接続され、ローカル側に端末機器が接続される。
【００４５】
［保守の実施：作業開始時］
図４及び図５を参照して、本発明に係る、配線管理システムの作業開始時の流れを説明する。図４は、本発明の携帯端末機に係る画面表示を示す図であり、図４（Ａ）は、開錠時の配線箱選択図、図４（Ｂ）は、電子配線表を取得中の待機状態を示す図、図４（Ｃ）は、電子配線表を表示した状態の図、図４（Ｄ）は、配線箱の結線状態をしめす、システム図であり、図５は、作業開始時の処理フロー図である。
【００４６】
まず、保守作業者５は、保守管理センター（図示せず）に保守作業実施の申請を行う（ステップＳ１）。保守管理センターは、管理サーバ３及びデータベース４にアクセスし、保守作業者５からの申請内容に基づいて、保守実行日時、保守対象の主配線２１、配線箱２２、保守作業者５が使用する携帯端末機１０の管理番号を入力して、保守作業者５に保守作業の実施許可を行う（ステップＳ２）。
【００４７】
次に、保守作業者５は、保守現場２０の保守対象となる配線箱２２の近隣に到着すると、図４（Ａ）に示すように、携帯端末機１０の識別子リーダ１５が、読み取ることが可能な範囲に存在する識別子２３を読み取り、表示画面１１に識別子２３内に記録された配線箱２２の名称を総て表示する。
【００４８】
次に、表示画面１１で保守を行う配線箱２２を選択し、識別子リーダ１５で、対象となる配線箱２２に貼付けられた識別子２３を読む（ステップＳ３）。このとき、携帯端末機１０は識別子２３の内容から、保守対象の配線箱２２に該当するか否かを判定する（ステップＳ４）。判定中は、図４（Ｂ）に示すように、処理中を示す画面が表示される。
【００４９】
携帯端末機１０は、識別子２３の内容から保守対象の配線箱２２に該当すると判定した場合、配線箱２２の開錠を行う（ステップＳ６）。携帯端末機１０は、電子錠２５に開錠の信号を送信し、信号を受信した電子錠２５は開錠される。該当しないと判定した場合は、保守対象の配線箱ではない旨のメッセージを表示し（ステップＳ５）、再度図４（Ａ）の画面表示に戻る。
【００５０】
配線箱２２の開錠をすると、図４（Ｃ）に示すように、表示画面１１に開錠した配線箱２２の電子配線表３０及び、開錠中であることを示す開錠ランプ１２を表示する（ステップＳ７）。
【００５１】
また、電子配線表３０表示中は、操作ボタン１３が使用可能となる。ここで、「構成」表示ボタン１３ａを押下すると、表示画面１１の表示は、電子配線表３０と構成図３４を切り替えることができる。構成図３４は、現在開錠している配線箱２２と、他の配線箱２２及び主配線盤２１との接続関係を表した図であり、接続関係を一見して理解することができる。
【００５２】
［保守の実施：追加作業］
次に、電子配線表３０の変更のうち、追加方法について、図６を用いて説明する。図６（Ａ）乃至（Ｄ）は、本発明に係る電子配線表への追加手順を示す図である。
【００５３】
図６（Ａ）は、図４（Ｄ）に示す構成において、ＴＡ１−１の電子配線表３０を表示した状態である。幹線側端子情報３２は、主配線盤２１に接続された接続端子２９ａ１の接続状態を表示し、ローカル側端子情報３３は、電話、ＦＡＸ等の端末機器又は、ＴＡ１−２の配線箱２２に接続された接続端子２９ｂ１の接続状態を表示している。
【００５４】
本実施例では、幹線側端子情報３２の端子番号１２が強調表示され、主配線盤２１と端子番号１２が新しく接続された状態を表示している。データベース４に格納された主配線盤２１の電子配線表３０が更新されると同時に、自動的に関連する電子配線表３０が更新される。このような機能を有することにより、関連する配線表の修正を保守作業者５が意識することなく行うことができる。
【００５５】
追加作業として、図６（Ａ）に示すように、まず保守作業者５は、「追加」ボタンを押下する。本実施例では、携帯端末機１０はタッチパネル式のため、スタイラスペン１６や、指等で押下することができる。
【００５６】
次に図６（Ｂ）に示すように、強調表示されている端子番号１２の欄を押下する。強調表示は、押下された端子番号及び回線名は、選択されたことを確認できる様に、他の端子番号と異なる表示形式にすると良好である。文字の色、太さ、大きさ、点灯等、他の端子番号よりも目立つ方法であれば、特に限定しない。
【００５７】
次に図６（Ｃ）に示すように、保守工事によって、実際に端子番号１２の接続端子２９ａ１と結線された接続端子２９ｂ１の端子番号を、ローカル側端子情報３３から選択し、押下する。ここでは、ローカル側端子情報３３の端末番号１８の欄を選択した例を示す。
【００５８】
図６（Ｄ）に示すように、ローカル側端子情報３３を押下すると、幹線側端子情報３２の端子番号１２の欄とローカル側端子情報３３の端末番号１８の欄が、自動的に結線される。また、保守作業者５は、端末番号１８の欄に該当する「端末名」を入力することが望ましい。
【００５９】
最後に、保守作業者５が、「保存」ボタン１３ｄを押下すると、幹線側端子情報３２の端子番号１２の欄とローカル側端子情報３３の端末番号１８の欄との結線をした変更内容が反映され、データベース４に格納されたＴＡ１−１に係る電子配線表３０が更新・保存される。このとき同時に、ローカル側端子情報３３の端末番号１８の接続端子２９ｂ１がＴＡ１−２の幹線側端子情報３２の接続端子２９ａ１に接続されている場合は、ＴＡ１−２の電子配線表３０上の幹線側端子情報３２の該当する端末番号の欄が更新される。
【００６０】
このように、保守作業中の電子配線表３０及び、データベース４に格納された関連する一以上の電子配線表３０を自動的に更新することができるので、保守作業者５は、保守現場にいながら、複数の関連する電子配線表３０の更新を容易に行うことができ、従来の配線表の更新と比較して、作業効率を大幅に改善することができる。
【００６１】
［保守の実施：削除作業］
次に、電子配線表３０の変更のうち、削除方法について、図７を用いて説明する。図７（Ａ）乃至（Ｄ）は、本発明に係る電子配線表への削除手順を示す図である。
【００６２】
図７（Ａ）は、図４（Ｄ）に示す構成において、配線箱名「ＴＡ１−１」の配線箱２２の電子配線表３０を表示した状態である。幹線側端子情報３２は、主配線盤２１に接続された接続端子２９ａ１の接続状態を表示し、ローカル側端子情報３３は、電話、ＦＡＸ等の端末機器又は、配線箱名「ＴＡ１−２」の配線箱２２の配線箱２２に接続された接続端子２９ｂ１の接続状態を表示している。
【００６３】
本実施例では、削除する対象として、幹線側端子情報３２の端子番号１２の欄を押下し、選択する。図７（Ｂ）に示すように、幹線側端子情報３２の端子番号１２の欄が選択されると、幹線側端子情報３２の端子番号１２の欄及び結線しているローカル側端子情報３３の端末番号１８の欄が、強調表示される。強調表示は、押下された端子番号及び回線名は、選択されたことを確認できる様に、他の端子番号と異なる表示形式にすると良好である。文字の色、太さ、大きさ、点灯等、他の端子番号よりも目立つ方法であれば、特に限定しない。
【００６４】
次に、幹線側端子情報３２の端子番号１２及び結線しているローカル側端子情報３３の端末番号１８が、強調表示されている状態で、図７（Ｃ）に示すように、保守作業者５は、「削除」ボタン１３ｃを押下する。
【００６５】
「削除」ボタン１３ｃを押下すると、図７（Ｄ）に示すように、幹線側端子情報３２の端子番号１２の回線名、ローカル側端子情報３３の端末番号１８の回線名及び、両者間の結線が削除される。
【００６６】
最後に、保守作業者５が、「保存」ボタン１３ｄを押下すると、削除をした変更内容が反映され、データベース４に格納されたＴＡ１−１に係る電子配線表３０が更新・保存される。このとき同時に、ローカル側端子情報３３の端末番号１８の接続端子２９ｂ１がＴＡ１−２の幹線側端子情報３２の接続端子２９ａ１に接続されている場合は、ＴＡ１−２の電子配線表３０上の幹線側端子情報３２の該当する端末番号が更新される。
【００６７】
このように、削除作業についても、保守作業中の電子配線表３０及び、データベース４に格納された関連する一以上の電子配線表３０を自動的に更新することができるので、保守作業者５は、保守現場にいながら、複数の関連する電子配線表３０の更新を容易に行うことができ、従来の配線表の更新と比較して、作業効率を大幅に改善することができる。
【００６８】
［保守の実施：作業終了時］
図８を参照して、本発明に係る、配線管理システムの作業終了時の流れを説明する。図８は、作業終了時の処理フロー図である。
【００６９】
まず、配線箱２２の保守作業終了時の手順として（ステップＳ１１）、保守作業者５は、接続端子２９ａ１、２９ｂ１の結線、廃線をした後、保守作業に使用した工具や、コード類等を配線箱２２から出す。次に、保守作業者５は、配線箱２２の扉２４を閉じる（ステップＳ１２）。
【００７０】
ここで、携帯端末機１０は、表示画面１１に表示されている、電子配線表３０の「保存」ボタン１３ｄが押下によって、データベース４が更新されていたか否かを判定する（ステップＳ１３）。図６（Ｄ）及び図７（Ｄ）に示すように、電子配線表３０へ追加・削除後に「保存」ボタン１３ｄが押下された後に、さらに電子配線表３０に対して何らかの変更作業を行った場合は、再度「保存」ボタン１３ｄが押下されていたか、否かを判定する。
【００７１】
また、電子配線表３０に対して追加、削除が行われたか否かに係わらず、データベース４に格納された電子配線表３０を常に最新版にすることが管理上望ましいため、「保存」ボタン１３ｄ押下による、データベース４の更新を必須とする。
【００７２】
「保存」ボタン１３ｄが押下されていた場合（ステップＳ１３でＹｅｓ）、携帯端末機１０は、電子錠２５に施錠の信号を送信し、信号を受信した電子錠２５は施錠される（ステップＳ１４）。そして、保守対象の配線箱２２への保守作業が終了する（ステップＳ１５）。
【００７３】
一方、「保存」ボタン１３ｄが押下されていなかった場合（ステップＳ１３でＮｏ）、携帯端末機１０は、表示画面１１に「保存」ボタン１３ｄを押下する旨の警告を表示する（ステップＳ１５）。
【００７４】
保守作業者５は警告を確認後、「保存」ボタン１３ｄを押下することで（ステップＳ１６）、電子配線表３０の内容について、データベース４に格納された電子配線表３０が更新・保存される（ステップＳ１７）。そして、ステップＳ１３に戻り、作業終了時の処理を継続する。
【００７５】
このように、電子配線表３０に対して追加／削除が行われたか否かに係わらず、「保存」ボタン１３ｄを押下しデータベース４に格納された電子配線表３０を更新することを、配線箱２２に設けられた電子錠２５の施錠の要件とする。電子配線表３０を常に最新版に更新してから、保守作業を終了するので、別の場所で配線表を更新する作業を行う必要が無く、配線表の更新に係る作業時間及び作業効率を大幅に改善することができる。
【００７６】
また、電子錠２５を使用することで、作業終了後に鍵を保管場所へ返却する工程を無くすことができ、鍵の管理、保守作業終了後の鍵の返却等に要する作業時間、等を大幅に改善することができる。
【００７７】
［第２の実施形態］
本発明において、保守現場が通信ネットワーク２と接続不可能な環境である場合も存在する。このような場合、図５のステップＳ２に示す、保守作業者５に保守作業の実施許可を与える際同時に、データベース４に保存されている保守対象の配線箱２２及び関連する一以上の他の配線箱２２の電子配線表３０を、携帯端末機１０の内部メモリ（図示せず）にダウンロードして保存するようにしてもよい。又は、予め各携帯端末機１０の内部メモリ（図示せず）に保守対象の配線箱２２及び関連する一以上の他の配線箱２２の電子配線表３０を保存しておく構成にしてもよい。
【００７８】
電子配線表３０を携帯端末機１０の内部メモリに保存することで、携帯端末機１０と通信ネットワーク２との接続状況にかかわらず、保守作業に係る開錠／施錠、電子配線表３０の表示、追加／削除を行うことができる。
【００７９】
保守作業終了時の電子配線表３０の保存は、データベース４から電子配線表３０を、携帯端末機１０の内部メモリにダウンロードして保存した場合、一時的に携帯端末機１０の内部メモリの電子配線表３０に対して追加・削除の更新を行い、後に、通信ネットワーク２に接続可能な環境下、例えば、保守作業者５の詰める事務所等で、通信ネットワーク２を介して、管理サーバ３，データベース４にアクセスし、一時的に携帯端末機１０の内部メモリに保存した電子配線表３０の内容を、データベース４に反映させるとよい。
［第３の実施形態］
【００８０】
また、本配線管理システムの作業時のセキュリティを強化するために、以下「開錠許可命令」の発行による、開錠機能を備えてもよい。
保守管理センターが保守作業者５からの申請内容に基づいて、保守作業者５に保守作業の実施許可を行う（ステップＳ２）が、このとき、管理サーバ３は、通信ネットワーク２を介して携帯端末機１０に対して、保守対象の配線箱２２の電子錠２５の開錠許可命令を与えるようにし、開錠許可命令が無い場合は、電子錠２５の開錠が不可能なシステム構成にしてもよい。携帯端末機１０は内部メモリ（図示せず）に開錠許可命令を保持する。
【００８１】
この場合、図４（Ａ）に示すように、表示画面１１に識別子２３内に記録された配線箱２２の名称を総て表示する際に、前述の開錠許可命令を受けている配線箱２２のみを表示するようにしてもよい。
【００８２】
また、ステップＳ４において、携帯端末機１０は識別子２３の内容から、前記開錠許可命令を受けた保守対象の配線箱２２に該当するか否かを判定するようにし（ステップＳ４）、携帯端末機１０は、識別子２３の内容から前記開錠許可命令を受けた配線箱２２に該当すると判定した場合のみ、配線箱２２の開錠を行う（ステップＳ６）機能を備えるようにする。
【００８３】
このように、前記開錠許可命令による開錠の可否を決定する機能を備えることで、意図しない作業の誤り防止や、不正な開錠による作業を防止することができる。
【００８４】
［その他の機能］
また、追加機能として、保守現場における保守対象機器のシュミュレーション機能を有していてもよい。保守作業者５は、保守現場に到着する前に、シュミュレーション機能を使用して、保守対象の配線箱２２の配線状況の確認や、配線工事を擬似的に体験することができる。シュミュレーション機能で事前に予習を行うことで、保守現場での作業時間の短縮や、作業の誤りを防止することができる。
【００８５】
以上述べたように、本発明係る電子配線システムによれば、配線箱に設置された識別子を、携帯端末機に接続したリーダで読むことで、当該配線箱に関する電子配線表について、管理サーバからダウンロード、又は予め携帯端末機に記憶していた電子配線表を、携帯端末機の画面に表示することができ、保守作業者は最新の電子配線表を保守現場で確認することができる。
【００８６】
また、保守作業者は、保守作業によって生じる配線箱に係る電子配線表の更新を、保守作業中のその場で行うことができるので、電子配線表の更新に係る作業時間及び作業効率を大幅に改善することができる。［naka1］
【００８７】
また、更新した電子配線表は、管理サーバ又は携帯端末機に保存されているので、常に最新版の電子配線表を、他の作業者がすぐに利用することができる。
【００８８】
配線箱の鍵は電子錠を使用することで、一般的な鍵の管理、貸与／返却等の工程をなくし、鍵の運用に要する作業時間、等を大幅に改善することができる。
【００８９】
配線箱に設置された識別子の内容を携帯端末機に接続したリーダで読みこみ、認証を受けた配線箱と判定された場合しか、電子錠の開錠をすることができないので、保守対象の配線箱の取り違いを防止し、また、セキュリティの向上に繋がる。
【００９０】
また、配線箱の保守作業終了時に施錠をする際に、電子配線表が未更新の場合は、警告が発せられ、施錠を行うことができないので、保守作業者に確実に電子配線表の更新を実施させることができ、常に最新版の電子配線表をデータベースに保存することで、実際の配線と電子配線表の相違が生じることを防ぐことができる。
【００９１】
この発明は、その本質的特性から逸脱することなく数多くの形式のものとして具体化することができる。よって、上述した実施形態は専ら説明上のものであり、本発明を制限するものではないことは言うまでもない。
【符号の説明】
【００９２】
１      配線管理システム
２      通信ネットワーク
３      管理サーバ
４      データベース
５      保守作業者
１０    携帯端末機
１１    表示画面
１２    開錠ランプ
１３    操作ボタン
１３ａ  「構成」表示ボタン
１３ｂ  「追加」ボタン
１３ｃ  「削除」ボタン
１３ｄ  「保存」ボタン
１５    識別子リーダ（無線タグリーダ）
１６    スタイラスペン
２０    保守対象機器
２１    主配線盤（ＭＤＦ）
２２    配線箱
２３    識別子（無線タグ）
２４    扉
２５    鍵（電子錠）
２６    中間配線盤
２８    マウント
２９、２９ａ、２９ｂ  コネクタ
２９ａ１、２９ｂ１    接続端子
３０    電子配線表
３１    配線箱名
３２    幹線側端子情報
３３    ローカル側端子情報
３４    構成図
【図１】
2014131377.tif 000003
【図２】
2014131377.tif 000004
【図３】
2014131377.tif 000005
【図４】
2014131377.tif 000006
【図５】
2014131377.tif 000007
【図６】
2014131377.tif 000008
【図７】
2014131377.tif 000009
【図８】
2014131377.tif 000010
【図９】
2014131377.tif 000011